(57)【要約】【解決手段】機体１０ａにエンジン１１を搭載し、このエンジン１１に始動用のリコイルスタータ６１を取付け、このリコイルスタータ６１からスタート用ロープ６６を略水平に延出し、このスタート用ロープ６６の先端にスタートグリップ５１を取付け、このスタートグリップ５１を機体１０ａの後部から延ばしたハンドル１８に支持させるために、ハンドル１８にグリップ受け６７を設けた歩行型作業機１０において、グリップ受け６７に、線材を螺旋状に複数回巻いたコイル構造を採用し、グリップ受け６７を、リコイルスタータ６１から略水平に延出したスタート用ロープ６６に対し後方に向けて所定角度上傾斜させた。【効果】スタート用ロープを段階的に上方に向けて案内することができる。この結果、スタート用ロープの摩擦抵抗を低減でき、スタート用ロープを斜め上方に引く場合にもスタート用ロープにこすれ、ほつれ等の摩耗を軽減することのできる。【選択図】        図４
2004245146.tif 000002
【特許請求の範囲】
【請求項１】
機体にエンジンを搭載し、このエンジンに始動用のリコイルスタータを取付け、このリコイルスタータからスタート用ロープを略水平に延出し、このスタート用ロープの先端にスタートグリップを取付け、このグリップを機体の後部から延ばしたハンドルに支持させるために、ハンドルにグリップ受けを設けた歩行型作業機において、
前記グリップ受けは、線材を螺旋状に複数回巻いたコイル構造であり、前記リコイルスタータから略水平に延出した前記スタート用ロープに対し後方に向けて所定角度上傾斜させたことを特徴とする歩行型作業機のスタートグリップ支持構造。
【請求項２】
前記グリップ受けを、円弧を描くように形成したことを特徴とする請求項１記載の歩行型作業機のスタートグリップ支持構造。
【発明の詳細な説明】
【０００１】
【発明の属する技術分野】
本発明は、歩行型作業機のスタートグリップ支持構造に関する。
【０００２】
【従来の技術】
ハンドルにスタートグリップを支持することのできるスタートグリップ支持構造を備える歩行型作業機が知られている（例えば、特許文献１参照。）。
【０００３】
【特許文献１】
特開平４−２３４５６９号公報（第４頁、第５図）
【０００４】
同公報の第５図を再掲し上記技術を説明する。ただし、同公報に記載の符号を新しく振り直すとともに記載の名称も一部変更した。
図１１は特開平４−２３４５６９号公報の第５図の再掲図であり、歩行型作業機２１０は、機体２１１にエンジン２１２を搭載し、このエンジン２１２に始動用のリコイルスタータ２１３を取付け、このリコイルスタータ２１３からスタート用ロープ２１４を略水平に延出し、このスタート用ロープ２１４の先端にスタートグリップ２１５を取付け、このスタートグリップ２１５を機体２１１の後部から延ばしたハンドル２１６に支持させるために、ハンドル２１６にグリップ受け２１７を設けた作業機であって、スタートグリップ２１５を、リコイルスタータ２１３又はグリップ受け２１７の両方にセットできるように配慮したものである。
特に、スタートグリップ２１５を作業者に近いハンドル２１６側にセットできることは、歩行型作業機２１０の操作性を向上する上で好ましいことである。
【０００５】
【発明が解決しようとする課題】
特許文献１の歩行型作業機２１０では、ハンドル２１６のグリップ受け２１７にスタートグリップ２１５をセットし、リコイルスタータ２１３のスタート用ロープ２１４を引く場合には、リコイルスタータ２１３から略水平に延ばしたスタート用ロープ２１４を、グリップ受け２１７を経由させて矢印▲１▼に示すように斜め上方に引く、若しくはリコイルスタータ２１３から略水平に延ばしたスタート用ロープ２１４を、グリップ受け２１７を経由させて矢印▲２▼に示すようにその延長上に引くなどのスタート用ロープ２１４の引き方が考えられる。
【０００６】
上記矢印▲１▼のようにスタート用ロープ２１４を引く場合には、作業者は腰をかがめた姿勢をとらなけらばならないため、立った姿勢のままでスタート用ロープ２１４を引くことのできる上記矢印▲２▼のような引き方をする場合が多い。しかし上記矢印▲２▼のようなスタート用ロープ２１４の引き方を繰り返すと、スタート用ロープ２１４がグリップ受け２１７に摺り、スタート用ロープ２１４にこすれ、ほつれ等の摩耗が生じ、スタート用ロープ２１４の寿命を著しく縮めることになる。
【０００７】
そこで、本発明の目的は、ハンドルに設けたグリップ受けからスタート用ロープを斜め上方に引く場合にも、スタート用ロープの摩擦抵抗を低減でき、スタート用ロープにこすれ、ほつれ等の摩耗を軽減することのできる技術を提供することにある。
【０００８】
【課題を解決するための手段】
上記目的を達成するために請求項１の歩行型作業機のスタートグリップ支持構造は、機体にエンジンを搭載し、このエンジンに始動用のリコイルスタータを取付け、このリコイルスタータからスタート用ロープを略水平に延出し、このスタート用ロープの先端にスタートグリップを取付け、このグリップを機体の後部から延ばしたハンドルに支持させるために、ハンドルにグリップ受けを設けた歩行型作業機において、グリップ受けに、線材を螺旋状に複数回巻いたコイル構造を採用し、グリップ受けを、リコイルスタータから略水平に延出したスタート用ロープに対し後方に向けて所定角度上傾斜させたことを特徴とする。
【０００９】
例えば、スタートグリップを作業者に近いハンドル側にセットすることは、歩行型作業機の作業性を向上する上で好ましいことであり、さらに、立った姿勢でスタート用ロープを引くことのできるような配慮をすることは、歩行型作業機の操作性を向上する上で好ましいことである。
そこで、グリップ受けに、線材を螺旋状に複数回巻いたコイル構造を採用し、グリップ受けを、リコイルスタータから略水平に延出したスタート用ロープに対し後方に向けて所定角度上傾斜させた。
【００１０】
すなわち、グリップ受けに、線材を螺旋状に複数回巻いたコイル構造を採用し、グリップ受けを、リコイルスタータから略水平に延出したスタート用ロープに対し後方に向けて所定角度上傾斜させることで、スタート用ロープを段階的に上方に向けて案内することができる。この結果、スタート用ロープの摩擦抵抗を低減でき、スタート用ロープを斜め上方に引く場合にもスタート用ロープにこすれ、ほつれ等の摩耗を軽減することのできる。
【００１１】
請求項２は、グリップ受けを、円弧を描くように形成したことを特徴とする。グリップ受けを、円弧を描くように形成することで、スタート用ロープをさらに段階的に（徐々に）上方向けて案内できる。この結果、さらなるスタート用ロープにこすれ、ほつれ等の摩耗を軽減することのできる。
【００１２】
【発明の実施の形態】
本発明の実施の形態を添付図に基づいて以下に説明する。なお、図面は符号の向きに見るものとする。
図１は本発明に係るスタートグリップ支持構造を採用した歩行型作業機の斜視図であり、歩行型作業機１０は、機体１０ａにエンジンを搭載し、エンジン１１から動力伝達装置１２を介して左右の走行車輪１３，１４（手前側の符号１３のみ示す。）及びこれらの走行車輪１３，１４の前方に配置した左右の耕耘装置１５、１６へ動力を伝達し、動力伝達装置１２の後部に畝立て機等の作業装置を連結する構造を有する農業機械であり、耕耘装置１５，１６で圃場（ほじょう）を耕しながら、例えば畝立て機で畝（うね）を立てる。
【００１３】
図２は本発明に係るスタートグリップ支持構造を採用した歩行型作業機の側面図であり、歩行型作業機１０は、機体１０ａの上部に配置したエンジン１１と、このエンジン１１の下部にクラッチ機構６３（図４参照）を介して取付けた動力伝達装置１２と、この動力伝達装置１２の前部に左右の耕耘軸１５ａ，１６ａ（手前側の符号１５ａのみ示す。）を介して回転可能に取付けた耕耘装置１５，１６と、動力伝達装置１２の後部に左車軸１３ａ及び右車軸１４ａ（不図示）を介して回転可能に取付けた走行車輪１３，１４と、動力伝達装置１２の後部から後方斜め上方に延ばしたハンドル１８と、動力伝達装置１２の後端に取付けた連結機構２１とからなり、連結機構２１に作業装置としての畝立て機２２を連結したものである。なお、１７はクラッチを収納するクラッチケースである。
【００１４】
ここで、３１は動力伝達装置１２の前端部に上下に位置調整可能に取付けた走行補助輪、３２は動力伝達装置１２及び耕耘装置１４，１５の上方を覆うフェンダ、３３はエンジン１１の上方を覆うエンジンカバー、３４はエアクリーナ、３５は燃料タンク給油口用キャップ、３６は変速レバー、３７はデフロック用レバー、３８はクラッチレバー、４１は連結機構２１に連結した作業装置（畝立て機２２等）を跳ね上げるための跳ね上げレバー、４２は連結機構２１に連結した作業装置の沈み込み位置を調整する沈み込み位置調整レバーである。
【００１５】
図３は本発明に係るスタートグリップ支持構造を採用した歩行型作業機の平面図であり、歩行型作業機１０は、ハンドル１８の右側前部に、エンジン１１を始動させるリコイルスタータ６１（図５参照）のスタートグリップ５１と、エンジン１１の出力を調整するスロットルレバー５２と、前述のデフロック用レバー３７とを配置し、ハンドル１８の左側後部にエンジン１１を停止させるエンジンスイッチ５３を取付け、ハンドル１８の後部にクラッチレバー３８を取付け、動力伝達装置１２（図１参照）の後部中央から後方へ変速レバー３６を延ばし、連結機構２１の後部左部から後方へ跳ね上げレバー４１を延ばしたことを示す。
【００１６】
図４は本発明に係るスタートグリップ支持構造を採用した歩行型作業機のエンジン廻りの側面図である。
エンジン１１は、アルミニウム合金製のクランクケース４３と、このクランクケース４３にガスケット（不図示）を介してボルト締めするシリンダブロック４４と、このシリンダブロック４４内に形成たシリンダ４５にスライドさせるピストン４６と、このピストン４６にピストンロッド４７を介して連結したクランクシャフト４８を主要構成とするものであり、クランクシャフト４８の一端にフライホイル４９及びリコイルスタータ６１の構成部品（図５に示すワイヤ部材７６，７６）に噛合わす嵌合歯付きカップ状部材６２を取付け、クランクシャフト４８の他端にクラッチ機構６３を介在するようにしたものである。
【００１７】
嵌合歯付きカップ状部材６２は、エンジン１１始動時にリコイルスタータ６１でクランクシャフト４８を回転させるための嵌合歯６４，６４を備える。
図中、５４，５４はクランクシャフト４８を回転自在に支持するベアリング、５５は点火プラグ、５６は吸気（排気）バルブ、５７はヘッドカバー、５８は燃料タンク、５９はフライホイル４９及び嵌合歯付きカップ状部材６２を取付けるナットを示す。
【００１８】
歩行型作業機のスタートグリップ支持構造６０（以下、「スタートグリップ支持構造６０」と略記する）は、機体１０ａにエンジン１１を搭載し、このエンジン１１に始動用のリコイルスタータ６１を取付け、このリコイルスタータ６１からスタート用ロープ６６を略水平に延出し、このスタート用ロープ６６の先端にスタートグリップ５１を取付け、このスタートグリップ５１を機体１０ａの後部から延ばしたハンドル１８に支持させるために、ハンドル１８にグリップ受け６７を設けた歩行型作業機１０（図１参照）において、グリップ受け６７に、線材を螺旋状に複数回巻いたコイル構造を採用し、グリップ受け６７を、リコイルスタータ６１から略水平に延出したスタート用ロープ６６に対し後方に向けて所定角度上傾斜させたものである。
次図でリコイルスタータ６１の詳細を説明し、図６及び図７でグリップ受け６７を詳細に説明する。
【００１９】
図５は本発明に係るスタートグリップ支持構造を採用した歩行型作業機のリコイルスタータの正面断面図である。
リコイルスタータ６１は、ケーシング７１と、このケーシング７１に回転自在に取付けたリール７２と、このリール７２との間にフリクションばね７４を介在させて所定の角度移動可能にケーシング７１に取付けた支持ホルダ７３と、これらのリール７２及び支持ホルダ７３をケーシング７１に回転自在に取付ける段付きねじ７５と、支持ホルダ７３に一端をスイング自在に取付けるとともに他端をリール７２（後述するカム溝９３，９３）に係合させたワイヤ部材７６，７６と、ケーシング７１とリール７２との間に介在させることでリール７２を初期状態に戻すぜんまい（ｐｏｗｅｒ  ｓｐｒｉｎｇ）７７と、リール７２に巻き付けたスタート用ロープ６６（図４にて先に説明）と、このスタート用ロープ６６の先端に取付けたスタートグリップ５１（図３にて先に説明）と、からなる。
【００２０】
ケーシング７１は、エンジン１１（図４参照）側に取付ける取付け部８１と、リール７２の外周を覆う外周部８２と、フリクションばね７４を収納する収納部８３と、リール７２を回転自在に支持する軸部８４と、この軸部８４に形成した段付きねじ７５の止め孔８５と、外周部８２に形成したスタート用ロープ６６をリール７２から延出するための切欠き部８６と、スタート用ロープ６６をケーシング７１の外に引出す開口８７と、を備える。
【００２１】
リール７２は、スタート用ロープ６６を巻付ける本体部９１と、この本体部９１からエンジン１１側に延ばした筒部９２と、この筒部９２に斜めに形成することでワイヤ部材７６，７６の他端を上下させるカム溝９３，９３と、本体部９１からエンジンカバー３３側に形成したぜんまい受け部９４と、を備える。
支持ホルダ７３は、段付きねじ７５を貫通させる貫通孔９５と、ワイヤ部材７６，７６をスイング可能に支持するワイヤ支持部９６，９６と、を備える。
【００２２】
すなわち、リコイルスタータ６１は、ワイヤ部材７６，７６、カム溝９３，９３及び嵌合歯付きカップ状部材６２と、でワンウェイクラッチ機能を構成するものであり、スタート用ロープ６６を引いたときに、カム溝９３，９３でワイヤ部材７６，７６の他端をエンジン１１（図４参照）側に移動させ、ワイヤ部材７６，７６を嵌合歯付きカップ状部材６２の嵌合歯６４，６４に嵌合させて嵌合歯付きカップ状部材６２を回転させ、クランクシャフト４８を回転させることで、エンジン１１を始動することができる。
また、スタート用ロープ６６を離すことで、ぜんまい７７の戻し作用でリール７２を逆転させるとともに、二点鎖線で示すようにワイヤ部材７６，７６を元に戻すことができる。
【００２３】
図６は本発明に係るスタートグリップ支持構造の平面図であり、スタートグリップ支持構造６０は、グリップ受け６７に、線材を螺旋状に複数回巻いたコイル構造を採用し、グリップ受け６７の後端部９７をハンドル１８の左外側に取付けたものであることを示す。
一般的に、スタートグリップを作業者に近いハンドル側にセットすることは、歩行型作業機の作業性を向上する上で好ましいことであり、さらに、立った姿勢でスタート用ロープを引くことのできるような配慮をすることは、歩行型作業機の操作性を向上する上で好ましいことであると言える。
【００２４】
図７は本発明に係るスタートグリップ支持構造の左側面図であり、側面視でリコイルスタータ６１（図５参照）から略水平に延出したスタート用ロープ６６とグリップ受け６７とのなす角度をａ（以下、「所定角度ａ」と記載する）、側面視でリコイルスタータ６１から略水平に延出したスタート用ロープ６６とハンドル１８との角度をｂとするときに、所定角度ａは、スタート用ロープ６６とハンドル１８との角度ｂよりも小さい角度に設定したことを示す。
【００２５】
すなわち、スタートグリップ支持構造６０は、グリップ受け６７に、線材を螺旋状に複数回巻いたコイル構造を採用し、グリップ受け６７を、リコイルスタータ６１（図５参照）から略水平に延出したスタート用ロープ６６に対し後方に向けて所定角度ａ上傾斜させたものと言える。
【００２６】
図８（ａ），（ｂ）は本発明に係るスタートグリップ支持構造の作用説明図であり、（ａ）は実施例のスタートグリップ支持構造６０を示し、（ｂ）は比較例のスタートグリップ支持構造２００を示す。
【００２７】
（ａ）において、スタートグリップ支持構造６０は、グリップ受け６７に、線材を螺旋状に複数回巻いたコイル構造を採用し、グリップ受け６７を、リコイルスタータ６１から略水平に延出したスタート用ロープ６６に対し後方に向けて所定角度ａ上傾斜させた。従って、スタート用ロープ６６を上方に角度Ｙで引く場合には、入口９８でスタート用ロープ６６を所定角度ａだけ上方に向け、さらに、出口９９で残りの角度（Ｙ−ａ）だけスタート用ロープ６６を上方に向けることができる。すなわち、スタート用ロープ６６を段階的に上方に向けて案内することができる。この結果、スタート用ロープ６６の摩擦抵抗を低減でき、スタート用ロープ６６を斜め上方に引く場合にもスタート用ロープにこすれ、ほつれ等の摩耗を軽減することのできる。
【００２８】
（ｂ）において、スタートグリップ支持構造２００は、グリップ受け２０１に、リング構造を採用したものであり、（ａ）に示す角度Ｙでスタート用ロープ２０２を上方に引く場合には、スタート用ロープ２０２の方向を、一度に角度Ｙ変換しなければならず、グリップ受け２０１とスタート用ロープ２０２との摩擦は大きいものとなる。
【００２９】
図９は本発明に係る第２実施の形態のスタートグリップ支持構造の側面図であり、スタートグリップ支持構造６０（図７参照）に使用した部品と同一部品は同一符号を用い詳細な説明は省略する。
歩行型作業機のスタートグリップ支持構造１１０（以下、「スタートグリップ支持構造１１０」と略記する）は、ハンドル１８にグリップ受け１１７を設けた歩行型作業機１０（図１参照）において、グリップ受け１１７に、線材を螺旋状に複数回巻いたコイル構造を採用するとともに、機体１０ａ（図１参照）上方に中心を有する円弧を描くように形成し、グリップ受け１１７を、リコイルスタータ６１（図５参照）から略水平に延出したスタート用ロープ６６に対し後方に向けて所定角度上傾斜させたものである。
【００３０】
図１０は本発明に係る第２実施の形態のスタートグリップ支持構造の作用説明図であり、スタートグリップ支持構造１１０は、グリップ受け１１７を、円弧を描くように形成したものと言える。
グリップ受け１１７を、円弧を描くように形成することで、スタート用ロープ６６を、さらに段階的に（徐々に）上方向けて案内できる。この結果、さらなるスタート用ロープ６６にこすれ、ほつれ等の摩耗を軽減することのできる。
【００３１】
尚、実施の形態では図３に示すように、グリップ受け６７はハンドル１８の左外側に設けたが、これに限るものではなく、ハンドルの左内側若しくはハンドルの右側に設けたものであってもよい。
【００３２】
【発明の効果】
本発明は上記構成により次の効果を発揮する。
請求項１では、グリップ受けに、線材を螺旋状に複数回巻いたコイル構造を採用し、グリップ受けを、リコイルスタータから略水平に延出したスタート用ロープに対し後方に向けて所定角度上傾斜させたので、スタート用ロープを段階的に上方に向けて案内することができる。この結果、スタート用ロープの摩擦抵抗を低減でき、スタート用ロープを斜め上方に引く場合にもスタート用ロープにこすれ、ほつれ等の摩耗を軽減することのできる。
【００３３】
請求項２は、グリップ受けを、円弧を描くように形成したので、スタート用ロープをさらに段階的に（徐々に）上方向けて案内できる。この結果、さらなるスタート用ロープにこすれ、ほつれ等の摩耗を軽減することのできる。
【図面の簡単な説明】
【図１】本発明に係るスタートグリップ支持構造を採用した歩行型作業機の斜視図
【図２】本発明に係るスタートグリップ支持構造を採用した歩行型作業機の側面図
【図３】本発明に係るスタートグリップ支持構造を採用した歩行型作業機の平面図
【図４】本発明に係るスタートグリップ支持構造を採用した歩行型作業機のエンジン廻りの側面図
【図５】本発明に係るスタートグリップ支持構造を採用した歩行型作業機のリコイルスタータの正面断面図
【図６】本発明に係るスタートグリップ支持構造の平面図
【図７】本発明に係るスタートグリップ支持構造の左側面図
【図８】本発明に係るスタートグリップ支持構造の作用説明図
【図９】本発明に係る第２実施の形態のスタートグリップ支持構造の側面図
【図１０】本発明に係る第２実施の形態のスタートグリップ支持構造の作用説明図
【図１１】特開平４−２３４５６９号公報の第５図の再掲図
【符号の説明】
１０…歩行型作業機、１０ａ…機体、１１…エンジン、５１…スタートグリップ、６０…スタートグリップ支持構造、６１…リコイルスタータ、６６…スタート用ロープ、６７…グリップ受け。
【図１】
2004245146.tif 000003
【図２】
2004245146.tif 000004
【図３】
2004245146.tif 000005
【図４】
2004245146.tif 000006
【図５】
2004245146.tif 000007
【図６】
2004245146.tif 000008
【図７】
2004245146.tif 000009
【図８】
2004245146.tif 000010
【図９】
2004245146.tif 000011
【図１０】
2004245146.tif 000012
【図１１】
2004245146.tif 000013